(57)【要約】【課題】排ガスの放出に伴うカウンタウエイトの温度上昇を低く抑え、カウンタウエイトの下方に存在する異物のカウンタウエイトに設けた穴への入り込みを防ぎ、カウンタウエイトの内周面や開口端に付着した黒い煤を雨水によって除去できる建設機械の提供。【解決手段】本発明は、ミニショベルから成り、カウンタウエイト５の立設面５ａに開口端２０ａを有する筒穴２０を、このカウンタウエイト５に形成し、エンジン８の排ガスが導かれるマフラ９に接続される排気管２２の先端部２２ａを、その開口端が筒穴２０の開口端２０ａに対向するように筒穴２０内に挿入するとともに、カウンタウエイト５の表面部に、案内面２３を介して筒穴２０に連通し、筒穴２０内に存在する黒い煤が含まれた雨水を滴下させる排水溝２１を設けた構成にしてある。【選択図】図７
2013007218.tif 000002
【特許請求の範囲】
【請求項１】
走行体と、この走行体上に配置され、作業装置が取り付けられる旋回体と、この旋回体の後端部に装着されるカウンタウエイトと、上記旋回体に搭載されるエンジンと、このエンジンの排ガスが導かれるマフラと、このマフラに導かれた排ガスを上記カウンタウエイトの外部に放出させる排気管とを備え、
上記カウンタウエイトに、上記排気管の上記排ガスを放出させる先端部が挿入され、外部に開口する開口端を有する穴を形成し、上記先端部が上記穴の上記開口端から突出しないように上記排気管を配置した建設機械において、
上記カウンタウエイトに形成する上記穴は、上記カウンタウエイトの表面部を形成し略鉛直方向に沿って配置される立設面に上記開口端を有する筒穴から成り、
上記排気管の上記先端部の開口端が、上記筒穴の上記開口端に対向するように当該排気管を配置し、
上記カウンタウエイトの上記表面部及び内部の少なくとも一方に、上記筒穴に連通し、上記筒穴内に存在する水を滴下させる排水溝を設けたことを特徴とする建設機械。
【請求項２】
請求項１に記載の建設機械において、
上記カウンタウエイトは、上記旋回体の旋回時に上記走行体の車幅内に収まる形状に形成された標準カウンタウエイトから成ることを特徴とする建設機械。
【請求項３】
請求項１に記載の建設機械において、
上記カウンタウエイトは、上記旋回体の旋回時に上記走行体の車幅内に収まる形状に形成された標準カウンタウエイトと、この標準カウンタウエイトに装着される追加カウンタウエイトとから成ることを特徴とする建設機械。
【請求項４】
請求項１に記載の建設機械において、
上記カウンタウエイトは、上記旋回体の旋回時に上記走行体の車幅内に収まる形状に形成された標準カウンタウエイトよりも増量され、上記旋回体の旋回時に上記走行体の車幅外に突出する形状に形成された増量カウンタウエイトから成ることを特徴とする建設機械。
【請求項５】
請求項１〜４のいずれか１項に記載の建設機械において、
上記筒穴内に存在する水を上記排水溝に案内する案内面を設けたことを特徴とする建設機械。
【発明の詳細な説明】
【技術分野】
【０００１】
本発明は、エンジンの排ガスを外部に放出する排気管の先端部が挿入される穴をカウンタウエイトに形成したミニショベル等の建設機械に関する。
【背景技術】
【０００２】
この種の従来技術として特許文献１に示されるものがある。この特許文献１に示される建設機械は、例えば小型機械を構成する油圧ショベル、すなわちミニショベルから成っている。この従来のミニショベルは、走行体と、この走行体上に配置され、作業装置が取り付けられる旋回体と、この旋回体の後端部に装着されるカウンタウエイトとを備えている。また、このミニショベルは、旋回体に搭載されるエンジンと、このエンジンの排ガスが導かれるマフラと、このマフラに導かれた排ガスをカウンタウエイトの外部に放出させる排気管とを備えている。
【０００３】
カウンタウエイトには斜め下方に向かって形成され、排気管の先端部が挿入される穴が設けられている。この穴の開口端は、カウンタウエイトの湾曲した下方部分に形成されており、この開口端の下端部分は、開口端の上端部分よりも旋回中心側に位置している。また、この穴に挿入される排気管の先端部は、略水平方向に沿うように配置されている。
【０００４】
このように構成される従来のミニショベルは、エンジンの排ガスがマフラを介して排気管に導かれ、排気管の先端部からカウンタウエイトに設けた穴の内周面に向かって放出され、さらにカウンタウエイトの下方部分に形成された穴の開口端からカウンタウエイトの外部に放出されるようになっている。
【先行技術文献】
【特許文献】
【０００５】
【特許文献１】特開平８−１９９６２９号公報
【発明の概要】
【発明が解決しようとする課題】
【０００６】
上述した特許文献１に示される従来技術は、排気管からカウンタウエイトに形成した穴の内周面に向かって、排ガスを放出させるようになっている。放出される排ガスの温度は通常、３００℃〜６００℃と高温である。したがって従来技術は、カウンタウエイトの穴の周辺部分が高温となり、この高温がカウンタウエイトの全体に伝えられる。すなわち従来技術は、カウンタウエイトが排気管から放出される排ガスによって高温になりやすく、このカウンタウエイトに接触した際に火傷を生じる虞がある。
【０００７】
また、特許文献１に示される従来技術は、カウンタウエイトに形成した穴の開口端の下端部分が上端部分よりも旋回中心側に位置していることから、走行体側から上方に向かってカウンタウエイトの穴を見たときに、穴の下端部分と上端部分との間に隙間が形成される。したがって、当該ミニショベルによって作業が行われる際などに、地面に載置されていた鉄筋等の異物が上述した隙間から穴内に突き上げるようにして入り込み、その異物によって排気管の先端部や穴の開口端、あるいは穴の内周面を損傷させてしまう虞がある。
【０００８】
さらに、特許文献１に示される従来技術は、排気管の先端部から放出された排ガス中に含まれる黒い煤が穴の内周面や開口端に付着しやすく、カウンタウエイトの美観を損ねやすい問題もあった。
【０００９】
本発明は、上述した従来技術における実状からなされたもので、その目的は、排ガスの放出に伴うカウンタウエイトの温度上昇を低く抑えることができ、カウンタウエイトの下方に存在する異物のカウンタウエイトに設けた穴への入り込みを防ぐことができ、また、カウンタウエイトの内周面や開口端に付着した排ガス中に含まれる黒い煤を、雨水によって除去することができる建設機械を提供することにある。
【課題を解決するための手段】
【００１０】
この目的を達成するために、本発明は、走行体と、この走行体上に配置され、作業装置が取り付けられる旋回体と、この旋回体の後端部に装着されるカウンタウエイトと、上記旋回体に搭載されるエンジンと、このエンジンの排ガスが導かれるマフラと、このマフラに導かれた排ガスを上記カウンタウエイトの外部に放出させる排気管とを備え、上記カウンタウエイトに、上記排気管の上記排ガスを放出させる先端部が挿入され、外部に開口する開口端を有する穴を形成し、上記先端部が上記穴の上記開口端から突出しないように上記排気管を配置した建設機械において、上記カウンタウエイトに形成する上記穴は、上記カウンタウエイトの表面部を形成し略鉛直方向に沿って配置される立設面に上記開口端を有する筒穴から成り、上記排気管の上記先端部の開口端が、上記筒穴の上記開口端に対向するように当該排気管を配置し、上記カウンタウエイトの上記表面部及び内部の少なくとも一方に、上記筒穴に連通し、上記筒穴内に存在する水を滴下させる排水溝を設けたことを特徴としている。
【００１１】
このように構成した本発明は、カウンタウエイトに形成する筒穴は、その開口端がカウンタウエイトの鉛直方向に沿って配置される立設面に位置し、排気管の先端部の開口端が、筒穴の開口端に対向するように配置してあることから、排気管の先端部の開口端から放出される排ガスは、筒穴の内周面への接触量を少なくしながら、その相当量が筒穴の開口端からカウンタウエイトの外部に向かって直接放出される。したがって本発明は、排気管の先端部からの排ガスの放出に伴うカウンタウエイトの温度上昇を低く抑えることができる。
【００１２】
また本発明は、上述したように、筒穴の開口端がカウンタウエイトの鉛直方向に沿う立設面に位置することから、この筒穴の開口端の下端部分と上端部分とが略同じ鉛直面内に含まれ、走行体側から上方に向かってカウンタウエイトの筒穴を見たときに、筒穴の下端部分と上端部分との間に隙間が形成されることがない。したがって本発明は、カウンタウエイトの下方に存在する異物がカウンタウエイトに設けた筒穴内に入り込むことを防ぐことができる。
【００１３】
さらに本発明は、カウンタウエイトに形成した筒穴の内周面や開口端に付着した排ガス中に含まれる黒い煤を、雨水によってカウンタウエイトの表面部及び内部の少なくとも一方に設けた排水溝へ流し、この排水溝から地面に滴下させて除去することができる。
【００１４】
また本発明は、上記発明において、上記カウンタウエイトは、上記旋回体の旋回時に上記走行体の車幅内に収まる形状に形成された標準カウンタウエイトから成ることを特徴としている。このように構成した本発明は、町中などの狭い作業空間における作業に際して、旋回体の旋回を走行体の車幅内に収めることができ、狭い作業空間での作業の能率を向上させることができる。
【００１５】
また本発明は、上記発明において、上記カウンタウエイトは、上記旋回体の旋回時に上記走行体の車幅内に収まる形状に形成された標準カウンタウエイトと、この標準カウンタウエイトに装着される追加カウンタウエイトとから成ることを特徴としている。このように構成した本発明は、標準カウンタウエイトに追加カウンタウエイトを装着させることによってカウンタウエイトの重量が増加する。したがって、作業装置との間のより安定した重量バランスを確保でき、作業の安全性を向上させることができる。
【００１６】
また本発明は、上記発明において、上記カウンタウエイトは、上記旋回体の旋回時に上記走行体の車幅内に収まる形状に形成された標準カウンタウエイトよりも増量され、上記旋回体の旋回時に上記走行体の車幅外に突出する形状に形成された増量カウンタウエイトから成ることを特徴としている。このように構成した本発明は、標準カウンタウエイトよりも重量の大きい増量カウンタウエイトによって、作業装置との間のより安定した重量バランスを確保でき、作業の安全性を向上させることができる。
【００１７】
また本発明は、上記発明において、上記筒穴内に存在する水を上記排水溝に案内する案内面を設けたことを特徴としている。このように構成した本発明は、筒穴内に付着した黒い煤を雨水を介して案内面から排水溝に円滑に導き、この排水溝から地面に滴下させて除去することができる。すなわち本発明は、案内面を設けたことによって清掃能力を向上させることができる。
【発明の効果】
【００１８】
本発明は、カウンタウエイトに形成する穴が、カウンタウエイトの表面部を形成し略鉛直方向に沿って配置される立設面に開口端を有する筒穴から成り、排気管の先端部の開口端が、筒穴の開口端に対向するように当該排気管を配置し、カウンタウエイトの表面部及び内部の少なくとも一方に、筒穴に連通し、筒穴内に存在する水を滴下させる排水溝を設けた構成にしてある。この構成により本発明は、排ガスの放出に伴うカウンタウエイトの温度上昇を低く抑えることができ、従来技術では生じる虞のあったカウンタウエイトへの接触による火傷を防ぐことができる。したがって本発明は、従来技術に比べて安全性に優れた建設機械を実現させることができる。
【００１９】
また本発明は、カウンタウエイトの下方に存在する異物のカウンタウエイトに設けた穴への入り込みを防ぐことができ、従来技術では生じる虞のあった上述した異物による排気管の先端部の損傷や、筒穴の内周面または開口端の損傷を防ぐことができる。したがって本発明は、耐久性に優れた建設機械を実現させることができる。
【００２０】
また本発明は、排水溝を介してカウンタウエイトの内周面や開口端に付着した排ガス中に含まれる黒い煤を、雨水によって除去することができ、従来技術では難しかったカウンタウエイトの美観を保つことができる。したがつて本発明は、経年的な意匠性の維持に優れた建設機械を実現させることができる。
【図面の簡単な説明】
【００２１】
【図１】本発明に係る建設機械の第１実施形態を構成するミニショベルを示す図で、（ａ）図は要部側面図、（ｂ）図は要部背面図である。
【図２】第１実施形態に係るミニショベルの要部平面図で、（ａ）図は作業装置が走行体の前方に位置するときの形態を示す図、（ｂ）図は（ａ）図の形態から旋回体を９０度旋回させ、作業装置が走行体の側方に位置するときの形態を示す図である。
【図３】図１に示すミニショベルを底部方向から見た要部斜視図である。
【図４】第１実施形態に係るミニショベルにおいて運転室を除いた状態を示す図で、（ａ）図は要部平面図、（ｂ）図は要部側面図、（ｃ）図は要部背面図である。
【図５】第１実施形態に係るミニショベルの機械室内の要部構成を示す図で、（ａ）図は平面図、（ｂ）図は斜視図、（ｃ）図は側面図、（ｄ）図は背面図である。
【図６】第１実施形態に係るミニショベルに備えられる排気管の配置形態を示す要部縦断面図である。
【図７】図６の斜視図である。
【図８】本発明の第２実施形態を構成するミニショベルを示す図で、（ａ）図は要部側面図、（ｂ）図は要部背面図である。
【図９】第２実施形態に係るミニショベルを示す平面図である。
【図１０】第２実施形態に係るミニショベルに備えられる追加カウンタウエイト部分を示す要部斜視図である。
【図１１】本発明の第３実施形態を構成するミニショベルを示す図で、（ａ）図は要部側面図、（ｂ）図は要部背面図である。
【図１２】第３実施形態に係るミニショベルを示す要部平面図である。
【図１３】第３実施形態に係るミニショベルに備えられる増量カウンタウエイト部分を示す要部斜視図である。
【図１４】本発明の第４実施形態を構成するミニショベルを示す図で、（ａ）図は要部平面図、（ｂ）図は要部背面図である。
【図１５】第４実施形態に係るミニショベルに備えられる排気管の配置形態を示す要部縦断面図である。
【図１６】図１５の斜視図である。
【発明を実施するための形態】
【００２２】
以下、本発明に係る建設機械の実施の形態を図に基づいて説明する。
【００２３】
［第１実施形態］
この第１実施形態に係る建設機械は、例えば小型機械を構成する油圧ショベル、すなわちミニショベルから成っている。図１，２に示すように、このミニショベルは、走行体１と、この走行体１上に配置される旋回体２と、この旋回体２の旋回フレーム２ａに設けた取付け部３に取り付けられ、ブーム、アーム、バケット等を含む図示しない作業装置とを備えている。
【００２４】
旋回体２の旋回フレーム２ａ上には運転室４を配置してあり、旋回フレーム２ａの後端部には、作業装置との重量バランスを確保するカウンタウエイト５を配置してある。運転室４とカウンタウエイト５との間には機械室６を配置してある。
【００２５】
図３に示すように、カウンタウエイト５は、複数のボルト７によって旋回フレーム２ａに取り付けられている。このカウンタウエイト５は、図２の（ｂ）図に示すように、走行体１に対して旋回体２を９０度旋回させたときでも、走行体１の車幅内に収まる形状に形成された標準カウンタウエイトから成っている。すなわち、この第１実施形態に係るミニショベルは、標準カウンタウエイトから成るカウンタウエイト５を含む旋回体２が、旋回操作に際して車幅内に収まるように設定された後端車幅内旋回型のミニショベルから成っている。
【００２６】
このミニショベルは、図４に示すように、機械室６内にエンジン８と、このエンジン８によって駆動され、図示しない各種の油圧アクチュエータに圧油を供給する油圧ポンプ１０とを収容させてある。また、機械室６の外側に位置する旋回フレーム２ａ上には、油圧ポンプ１０から図示しない油圧アクチュエータへ供給される圧油の流れを制御するコントロールバルブ１１を配置してある。また、旋回中心にはセンタジョイント１３を設けてあり、このセンタジョイント１３の近傍には、旋回体２を旋回させる旋回モータ１２を配置してある。
【００２７】
また、このミニショベルは、図５〜７に示すように、エンジン８の排ガスが導かれるマフラ９と、このマフラ９に導かれた排ガスをカウンタウエイト５の外部に放出させる排気管２２とを備えている。
【００２８】
この第１実施形態は、同図５〜７に示すように、カウンタウエイト５に筒穴２０を形成してある。この筒穴２０は、カウンタウエイト５の表面部を形成する略鉛直方向に沿って配置される立設面５ａに開口端２０ａを有している。上述した排気管２２の先端部２２ａの開口端が、図６に示すように、筒穴２０の開口端２０ａに対向するように、この排気管２２を配置してある。すなわち、排気管２２の先端部２２ａが筒穴２０の開口端２０ａから突出しないように、排気管２２を配置してある。
【００２９】
また、この第１実施形態は、同図５〜７に示すように、カウンタウエイト５の表面部及び内部の少なくとも一方、例えば表面部に、筒穴２０に連通し、筒穴２０内に存在する水を地面に滴下させる排水溝２１を設けてある。また図６，７に示すように、筒穴２０と排水溝２１との間に、筒穴２０内に存在する水を排水溝２１に案内する案内面２３を設けてある。
【００３０】
このように構成した第１実施形態は、カウンタウエイト５に形成した筒穴２０の開口端２０ａがカウンタウエイト５の鉛直方向に沿って配置される立設面５ａに位置し、排気管２２の先端部２２ａの開口端が、筒穴２０の開口端２０ａに対向するように配置してあることから、排気管２２の先端部２２ａの開口端から放出される排出ガスは、筒穴２０の内周面への接触量を少なくしながら、その相当量が筒穴２０の開口端２０ａからカウンタウエイト５の外部に向かって直接に放出される。したがって、この第１実施形態は、排気管２２の先端部２２ａからの排出ガスの放出に伴うカウンタウエイト５の温度上昇を低く抑えることができ、カウンタウエイト５への接触による火傷を防ぐことができる。これにより、この第１実施形態は、安全性に優れたミニショベルを実現させることができる。
【００３１】
また、この第１実施形態は、筒穴２０の開口端２０ａがカウンタウエイト５の鉛直方向に沿う立設面５ａに位置することから、筒穴２０の開口端２０ａの下端部分と上端部分とが略同じ鉛直面内に含まれ、走行体１側から上方に向かってカウンタウエイト５の筒穴２０を見たときに、筒穴２０の下端部分と上端部分との間に隙間が形成されることがない。したがって、この第１実施形態は、カウンタウエイト５の下方に存在する異物がカウンタウエイト５の筒穴２０内に入り込むことを防ぐことができ、上述した異物による排気管２２の先端部２２ａの損傷や、筒穴２０の内周面または開口端２０ａの損傷を防ぐことができる。これにより、この第１実施形態は、耐久性に優れたミニショベルを実現させることができる。
【００３２】
さらに、この第１実施形態は、カウンタウエイト５に形成した筒穴２０の内周面や開口端２０ａに付着した排ガス中に含まれる黒い煤を、雨水によってカウンタウエイト５の表面部に設けた排水溝２１へ流し、この排水溝２１から地面に滴下させて除去することができ、カウンタウエイト５の美観を保つことができる。これにより、この第１実施形態は、経年的な意匠性の維持に優れたミニショベルを実現させることができる。
【００３３】
また、この第１実施形態は、カウンタウエイト５が、旋回体２の旋回時に走行体１の車幅内に収まる形状に形成された標準カウンタウエイトから成ることから、町中などの狭い作業空間における作業に際して、旋回体２を走行体１の車幅内に収めながら旋回させ、旋回体２の周囲の障害物に干渉しないようにして作業を行うことができ、狭い作業空間における作業を能率良く実施することができる。
【００３４】
また、この第１実施形態は、筒穴２０内に付着した黒い煤を雨水を介して案内面２３から排水溝２１に円滑に導き、この排水溝２１から地面に滴下させることができる。すなわち、この第１実施形態は、案内面２３を設けたことによって清掃能力を向上させることができる。
【００３５】
［第２実施形態］
この第２実施形態に係る建設機械も、図８〜１０に示すように、例えばミニショベルから成っている。この第２実施形態に係るミニショベルは、第１実施形態の構成に加えて、追加カウンタウエイト３０を備えた構成にしてある。追加カウンタウエイト３０は複数のボルト３１によってカウンタウエイト５に離脱可能に装着させてある。すなわち、この第２実施形態は、図示しない作業装置との重量バランスを確保するために旋回体２の旋回フレーム２ａの後端部に設けられるカウンタウエイトが、標準カウンタウエイトから成るカウンタウエイト５と、このカウンタウエイト５に装着される追加カウンタウエイト３０とから成っている。
【００３６】
図１０に示すように、追加カウンタウエイト３０には、標準カウンタウエイトから成るカウンタウエイト５に形成した筒穴２０に連通する筒穴３２を形成してある。この筒穴３２の開口端３２ａは、追加カウンタウエイト３０の鉛直方向に沿って立設された立設面３０ａに設けてある。これに伴って、排気管２２の先端部２２ａの開口端が、図１０に示すように、追加カウンタウエイト３０に形成した筒穴３２の開口端３２ａに対向するように位置している。また、この第２実施形態は、追加カウンタウエイト３０の表面部に、筒穴３２に連通し、筒穴３２内に存在する水を地面に滴下させる排水溝３３を設けてある。その他の構成は上述した第１実施形態と同等である。
【００３７】
このように構成した第２実施形態も、追加カウンタウエイト３０に形成した筒穴３２の開口端３２ａが追加カウンタウエイト３０の鉛直方向に沿って配置される立設面３０ａに位置し、排気管２２の先端部２２ａの開口端が、筒穴３２の開口端３２ａに対向するように配置してあることから、排気管２２の先端部２２ａの開口端から放出される排ガスは、カウンタウエイト５の筒穴２０、及び追加カウンタウエイト３０の筒穴３２のそれぞれの内周面への接触量を少なくしながら、その相当量が筒穴３２の開口端３２ａから追加カウンタウエイト３０の外部に向かって直接に放出される。したがって、上述した第１実施形態と同様に、排気管２２の先端部２２ａからの排ガスの放出に伴うカウンタウエイト５及び追加カウンタウエイト３０の温度上昇を低く抑えることができ、カウンタウエイト５及び追加カウンタウエイト３０への接触による火傷を防ぐことができる。これにより、この第２実施形態は、安全性に優れたミニショベルを実現させることができる。
【００３８】
また、この第２実施形態は、追加カウンタウエイト３０に形成された筒穴３２の開口端３２ａが追加カウンタウエイト３０の鉛直方向に沿う立設面３０ａに位置することから、筒穴３２の開口端３２ａの下端部分と上端部分が略同じ鉛直面内に含まれ、走行体１側から上方に向かって追加カウンタウエイト３０の筒穴３２を見たときに、筒穴３２の下端部分と上端部分との間に隙間が形成されることがない。したがって、第１実施形態と同様に、この第２実施形態も、追加カウンタウエイト３０の下方に存在する異物が追加カウンタウエイト３０の筒穴３２内に入り込むことを防ぐことができ、上述した異物による排気管２２の先端部２２ａの損傷や、筒穴３２の内周面または開口端２０ａ等の損傷を防ぐことができる。これにより、この第２実施形態は、耐久性に優れたミニショベルを実現させることができる。
【００３９】
また、この第２実施形態は、追加カウンタウエイト３０に形成した筒穴３２の内周面に付着した排ガス中に含まれる黒い煤を、雨水によって追加カウンタウエイト３０の表面部に設けた排水溝３３へ流し、この排水溝３３から地面に滴下させて除去することができる。また、これに併せて、標準カウンタウエイトから成るカウンタウエイト５の筒穴２０の内周面や追加カウンタウエイト３０の筒穴３２の内周面に付着した黒い煤を含む雨水を、カウンタウエイト５の表面部に設けた排水溝２１へ流し、この排水溝２１からも地面に滴下させて除去することができる。これらにより、この第２実施形態も、第１実施形態と同様に、カウンタウエイト５及び追加カウンタウエイト３０の美観を保つことができ、経年的な意匠性の維持に優れたミニショベルを実現させることができる。
【００４０】
また、この第２実施形態は、カウンタウエイトが、標準カウンタウエイトから成るカウンタウエイト５と、このカウンタウエイト５に装着される追加カウンタウエイト３０とから成ることから、図示しない作業装置との間のより安定した重量バランスを確保でき、作業の安全性を向上させることができる。
【００４１】
［第３実施形態］
この第３実施形態に係る建設機械も、図１１〜１３に示すように、例えばミニショベルから成っている。この第３実施形態に係るミニショベルは、第１実施形態における標準カウンタウエイトから成るカウンタウエイト５に代えて、カウンタウエイト５よりも増量され、旋回体２の旋回時に走行体１の車幅外に突出する形状に形成された増量カウンタウエイト４０を備えたものである。
【００４２】
図１３に示すように、増量カウンタウエイト４０に筒穴４１を形成してある。この筒穴４１は、増量カウンタウエイト４０の表面部を形成し略鉛直方向に沿って配置される立設面４０ａに開口端４１ａを有している。排気管２２の先端部２２ａの開口端が、筒穴４１の開口端４１ａに対向するように、排気管２２を配置してある。
【００４３】
また、増量カウンタウエイト４０の表面部に、筒穴４１に連通し、筒穴４１内に存在する水を地面に滴下させる排水溝４２を設けてある。その他の構成は第１実施形態と同等である。
【００４４】
このように構成した第３実施形態も、基本的な形態は第１実施形態と同等であるので、第１実施形態と同等の基本的な作用効果を得ることができる。また、この第３実施形態は、カウンタウエイトが、標準カウンタウエイトから成るカウンタウエイト５よりも増量させた増量カウンタウエイト４０から成ることから、第２実施形態におけるのと同様に、図示しない作業装置との間のより安定した重量バランスを確保でき、作業の安全性を向上させることができる。
【００４５】
［第４実施形態］
この第４実施形態に係る建設機械も、図１４に示すように、例えばミニショベルから成っている。この第４実施形態に係るミニショベルは、排水溝５０の配設位置が第１実施形態におけるのと異なっている。すなわち、この第１実施形態は、標準カウンタウエイトから成るカウンタウエイト５に形成した筒穴２０に連通する排水溝５０を、カウンタウエイト５の表面部でなく内部に設けてある。すなわち、排気管２２の先端部２２ａの開口端よりも旋回中心側のカウンタウエイト５の内部位置に、排水溝５０を設けてある。また、カウンタウエイト５の筒穴２０内に存在する水を排水溝５０に案内する案内面５１を設けてある。その他の構成は第１実施形態と同等である。
【００４６】
このように構成した第４実施形態も、基本的な構成は第１実施形態と同等であることから、第１実施形態と同等の基本的な作用効果を得ることができる。また、この第４実施形態は、排水溝５０がカウンタウエイト５の表面に存在しないので、第１実施形態に比べて優れた意匠性を確保することができる。
【００４７】
なお例えば、第１実施形態において、カウンタウエイト５の内部に、第４実施形態におけるのと同等の排水溝５０を設け、筒穴２０の内周面あるいは開口端２０ａに付着した黒い煤を、雨水を介してカウンタウエイト５の表面部に設けた排水溝２１と、カウンタウエイト５の内部に設けた排水溝５０の双方から滴下させるように構成してもよい。
【００４８】
また本発明は、ミニショベルに適用することには限られず、旋回体に形成した穴に排気管の先端部を挿入するように構成した他の建設機械、例えばミニショベルよりも大型の油圧ショベルにも適用可能である。
【符号の説明】
【００４９】
１    走行体
２    旋回体
３    取り付け部
５    カウンタウエイト
５ａ  立設面
８    エンジン
９    マフラ
２０    筒穴
２０ａ  開口端
２１    排水溝
２２    排気管
２２ａ  先端部
２３    案内面
３０    追加カウンタウエイト
３０ａ  立設面
３１    ボルト
３２    筒穴
３２ａ  開口端
３３    排水溝
４０    増量カウンタウエイト
４０ａ  立設面
４１    筒穴
４１ａ  開口端
５０    排水溝
５１    案内面
【図１】
2013007218.tif 000003
【図２】
2013007218.tif 000004
【図３】
2013007218.tif 000005
【図４】
2013007218.tif 000006
【図５】
2013007218.tif 000007
【図６】
2013007218.tif 000008
【図７】
2013007218.tif 000009
【図８】
2013007218.tif 000010
【図９】
2013007218.tif 000011
【図１０】
2013007218.tif 000012
【図１１】
2013007218.tif 000013
【図１２】
2013007218.tif 000014
【図１３】
2013007218.tif 000015
【図１４】
2013007218.tif 000016
【図１５】
2013007218.tif 000017
【図１６】
2013007218.tif 000018